(57)【要約】【課題】従来の足場の支持装置並びに支持装置では、足場の上端側を適切に支持し難く、足場の安定性を向上し難いという問題があった。【解決手段】本発明の足場４１の支持装置１０では、主に、枠体部１３と、枠体部１３の上面側に配設される台座部１４と、台座部１４の上面に配設される連結機構１５と、枠体部１３の下面側に配設される複数の固定部１６と、を有している。そして、固定部１６としてのハゼ金具を用いて、支持装置１０は、建築物のハゼ式折板屋根１１のハゼ部１２に対して設置される。この構造により、足場４１の上端側は、連結部材３１を介して連結機構１５の連結棒部１５Ｂと連結することで、ハゼ式折板屋根１１に支持され、その安定性を向上させることができる。尚、支持装置６０でも、支持装置１０と同様な効果が得られる。【選択図】図２
2020023871.tif 000002
【特許請求の範囲】
【請求項１】
建築物に脱着自在に固定され、前記建築物の周囲に設置される足場を支持する足場の支持装置において、
少なくともその長手方向が対向して配設される第１フレームと第２フレームとを備える枠体部と、
前記第１フレームと前記第２フレームとを架橋すると共に、前記第１フレーム及び前記第２フレームに対して固定される台座部と、
前記台座部に対して配設されると共に、前記足場との連結部材を支持する連結機構と、
前記枠体部に配設され、前記枠体部を前記建築物に対して固定する固定部と、を有することを特徴とする足場の支持装置。
【請求項２】
前記連結機構は、
前記連結部材と連結する連結棒部と、
前記第１フレームと前記第２フレームとの間の前記台座部の略中心部に固定されると共に、前記連結棒部を回動自在に支持する支持部と、を備え、
前記連結棒部は、前記連結部材の長手方向に沿って前記連結部材と連結すると共に、前記連結部材の動きに連動して回動することを特徴とする請求項１に記載の足場の支持装置。
【請求項３】
前記建築物の屋根はハゼ式折板屋根であり、前記固定部は、少なくとも前記第１フレーム及び前記第２フレームに対して配設されるハゼ金具であり、
前記固定部は、前記ハゼ式折板屋根のハゼ部に対して固定されることを特徴とする請求項１または請求項２に記載の足場の支持装置。
【請求項４】
前記第１フレーム及び前記第２フレームには、それぞれ前記ハゼ金具を配設する取付け孔が形成され、
前記取付け孔は、少なくとも前記ハゼ金具を構成するボルトの径と略同じ大きさの第１の開口部と、前記第１フレームまたは前記第２フレームの延在方向へと前記ボルトの径よりも長い開口幅を有する第２の開口部と、を有していることを特徴とする請求項３に記載の足場の支持装置。
【請求項５】
前記第１フレームと前記第２フレームとは、隣り合う前記ハゼ部のスパンと略同一幅だけ離間していることを特徴とする請求項３または請求項４に記載の足場の支持装置。
【請求項６】
前記枠体部は、前記第１フレームと前記第２フレームとの間に配設され、少なくともその一部が前記台座部に対して固定される第３フレームと、を備え、
前記建築物の屋根は重ね式折板屋根であり、前記固定部は、前記建築物の梁に固定されるタイトフレームに対して配設される締結金具であり、
前記第３フレームには、前記締結金具が配設される複数の取付け孔が形成されることを特徴とする請求項１または請求項２に記載の足場の支持装置。
【請求項７】
前記第３フレームは、前記支持部よりも前記第２フレーム側に配設され、
前記第１フレーム及び前記第２フレームは、前記重ね式折板屋根に固定されることなく、前記重ね式折板屋根と当接することを特徴とする請求項６に記載の足場の支持装置。
【請求項８】
建築物の屋根に着脱自在に固定され、被支持対象物を前記屋根から離間した状態にて支える支持装置において、
枠体部と、
前記枠体部の上面に配設される連結機構と、
前記枠体部に着脱自在に配設されると共に、前記枠体部を前記屋根に固定する複数の固定部と、を有し、
前記連結機構は、前記被支持対象物が連結した連結部材と連結することを特徴とする支持装置。
【請求項９】
前記連結機構は、
前記連結部材と連結する連結棒部と、
前記連結棒部を回動自在に支持する支持部と、
前記連結棒部を前記支持部に対して固定する回動制止部と、を備えることを特徴とする請求項８に記載の支持装置。
【請求項１０】
前記支持部は、断面略コの字形状の柱状部材であり、
前記柱状部材の対向する横側面には、それぞれ前記回動制止部が挿入される孔部が形成され、
前記柱状部材の背側面には、前記被支持対象物を支持する支持部材の一部が挿入される挿入受け部が配設されていることを特徴とする請求項９に記載の支持装置。
【請求項１１】
前記枠体部は、
その長手方向に沿って前記固定部を取り付けるための複数の取付け孔が形成される第１フレームと、
前記第１フレームと略平行に配置されると共に、その長手方向に沿って複数の前記取付け孔が形成される第２フレームと、
前記第１フレームと前記第２フレームとを連結する台座部と、を備え、
前記第１フレーム、前記第２フレーム及び前記台座部の上面は、略同一高さに配列され、
前記連結機構は、前記台座部の上面の略中心部に配設されていることを特徴とする請求項８から請求項１０のいずれか１項に記載の支持装置。
【請求項１２】
前記屋根は、ハゼ式折板屋根または重ね式折板屋根であることを特徴とする請求項８から請求項１１のいずれか１項に記載の支持装置。
【発明の詳細な説明】
【技術分野】
【０００１】
本発明は、建築現場等にて作業員が利用する足場を支持する足場の支持装置並びに支持装置であり、特に、建築物の屋根に取り付けられ、足場の上端側を支えることで足場全体の安定性を向上させる足場の支持装置並びに支持装置に関する。
【背景技術】
【０００２】
従来の足場１０１の支持装置１００（以下、「支持装置１００」と呼ぶ。）として、図１１に示す構造が知られている。図１１は、支持装置１００の使用状況を説明する斜視図である。
【０００３】
図１１に示す如く、支持装置１００は、主に、板状の支持部材１０２と、支持部材１０２の中央部に配設される連結部材１０３と、支持部材１０２の長手方向に形成される複数の取付け孔１０４と、を有している。
【０００４】
支持部材１０２は、例えば、長尺の板状形状であり、建築物の屋根、例えば、折板屋根１０５の複数の山部１０５Ａに渡って当接して配設される。そして、支持部材１０２は、折板屋根１０５と略同形状のタイトフレーム（図示せず）の配設領域上にボルト１０７とナット１０８とを用いて固定される。尚、複数の取付け孔１０４は、折板屋根１０５の山部１０５Ａ間のスパンに合わせて形成される。
【０００５】
図示したように、足場１０１は、折板屋根１０５の軒先等に沿って略並行に設置されるが、支持部材１０２も軒先と略並行に折板屋根１０５上に固定される。そして、足場１０１の上端側と支持装置１００の連結部材１０３とは、単管パイプ１０６を介して連結される。この構造により、足場１０１の上端側が折板屋根１０５に対して固定されることで、強風等によっても足場１０１が倒壊し難くなる。尚、単管パイプ１０６は、自在クランプ１０９を介して足場１０１の上端側及び支持装置１００の連結部材１０３に固定される（例えば、特許文献１参照。）。
【先行技術文献】
【特許文献】
【０００６】
【特許文献１】実開平６−４２５３号公報
【発明の概要】
【発明が解決しようとする課題】
【０００７】
足場１０１は、建築現場の作業者が鉄筋組み作業や型枠の建込作業、外壁や屋根の設置作業等を行う際の通路として用いられる。そして、上記作業効率を高めるため、足場１０１は、通常、建築物よりも高く組まれるため、その上端側を支持し難く、強風や作業員の移動による振動等により揺れ易い構造となっている。そのため、足場１０１の倒壊等を防止するため、足場１０１の上端側を支持、安定させる足場１０１の支持構造が求められている。尚、現状では、足場１０１の上端側を建築物の屋根等に強引に連結等しているが、確実な支持が取れず、また、屋根を痛めてしまうという問題がある。
【０００８】
上述したように、支持装置１００では、支持部材１０２が折板屋根１０５の上面に固定される。そして、足場１０１の上端側が、単管パイプ１０６を介して支持部材１０２に配設された連結部材１０３に固定される。この構造により、足場１０１の上端側が、折板屋根１０５に固定された状態となり、足場１０１の安定性が大幅に向上される。
【０００９】
しかしながら、支持装置１００の支持部材１０２は、枠形状でなく、長尺の１本形状であり、足場１０１と略並行に配置される。そして、上記足場１０１の揺れに連動して、支持部材１０２には、単管パイプ１０６を介して引っ張られる外力や押し込まれる外力が繰り返し加わる。このとき、支持部材１０２と折板屋根１０５とは、ボルト１０７とナット１０８により固定される構造であり、この固定部分に応力集中が起こり易く、その固定部分の折板屋根１０５が痛められ、また、ボルト１０７が金属疲労により破損し易くなるという問題がある。
【００１０】
また、折板屋根１０５は、通常、足場１０１側（軒先側）へと傾斜して配設されるため、支持部材１０２が長尺の１枚の板状形状では、外力により捻じれやすく、上記引っ張られる外力に対して対抗する反力が得られ難く、支持装置１００が折板屋根１０５から外れることで、足場１０１が倒壊してしまう恐れがある。
【００１１】
また、連結部材１０３が支持部材１０２の上面に対して鉛直方向に固定された状態では、単管パイプ１０６の他端側が、連結部材１０３に固定される際に、１個の自在クランプ１０９を用いることしか出来ず、単管パイプ１０６が連結部材１０３に対してしっかりと固定し難いという問題がある。その結果、強風等に起因して足場１０１が大きく揺れる動作に連動して、単管パイプ１０６が強く引っ張れた際に、単管パイプ１０６が自在クランプ１０９から抜けることで、足場１０１が倒壊してしまう恐れもある。更には、単管パイプ１０６と連結部材１０３とが一直線状の位置関係に連結されないので、上記足場１０１からの外力に対して反力がしっかりと伝わらず、足場１０１を安定して支持し難いという問題がある。
【００１２】
更に、足場１０１は、通常、建築物に沿ってその周囲の広い範囲に配置される。そして、支持装置１００が、折板屋根１０５上面に複数設置され、足場１０１の複数個所を均等に支持することで、足場１０１の安定性が向上される。そのため、支持装置１００は、１つの建築現場にて複数個使用されることになる。しかしながら、連結部材１０３が支持部材１０２の上面に対して鉛直方向に固定された構造では、支持装置１００を積み重ねて収納することが難しく、その収納性や持ち運び性が悪いという問題がある。
【００１３】
また、建築現場では、足場材等の建築資材は、クレーン車等により折板屋根１０５の上面にまとめて持ち上げ、一時的に折板屋根１０５の上面に載置しながら作業を進めることで、作業効率の向上を図る場合もある。このとき、上記建築資材は、折板屋根１０５上面に直接載置されることで、折板屋根１０５が損傷する恐れがあるという問題がある。更には、上記クレーン作業の際に荷吊り用ロープを用いるが、荷吊り用ロープが、上記建築資材と折板屋根１０５との間に挟まり、荷吊り用ロープが抜け難く、作業性が悪いという問題がある。一方、上記クレーン作業に際し、荷吊り用ロープを無理やり抜くことで、上記建築資材が崩れ、屋根を傷め、また、崩れた建築資材が落下する恐れがあるという問題がある。同様に、作業者が、折板屋根１０５の上面を直接歩くことで、屋根を傷め、また、作業者の安全性を確保し難いという問題がある。
【００１４】
また、業務店舗では、お客様へ店名をアピールするために、屋根の上端部に看板を設置するが、看板を安全に設置するための支持構造が必要となる。従来の支持構造では、所望の支持力を確保するために、一度、折板屋根１０５に支持パイプを通すため穴を開け、支持パイプを業務店舗の梁に溶接固定した後、折板屋根１０５の上記穴を塞いでいた。そのため、折板屋根１０５を傷めると共に、上記穴の配置箇所が雨漏りの要因になり易いという問題がある。
【００１５】
本発明は、上記事情に鑑みてなされたものであり、建築物の屋根に取り付けられ、単管パイプ等の連結部材を介して、建築物の周囲に配置される足場の上端側を支持する足場の支持装置並びに支持装置を提供するものである。
【課題を解決するための手段】
【００１６】
本発明の足場の支持装置では、建築物に脱着自在に固定され、前記建築物の周囲に設置される足場を支持する足場の支持装置において、少なくともその長手方向が対向して配設される第１フレームと第２フレームとを備える枠体部と、前記第１フレームと前記第２フレームとを架橋すると共に、前記第１フレーム及び前記第２フレームに対して固定される台座部と、前記台座部に対して配設されると共に、前記足場との連結部材を支持する連結機構と、前記枠体部に配設され、前記枠体部を前記建築物に対して固定する固定部と、を有することを特徴とする。
【００１７】
また、本発明の足場の支持装置では、前記連結機構は、前記連結部材と連結する連結棒部と、前記第１フレームと前記第２フレームとの間の前記台座部の略中心部に固定されると共に、前記連結棒部を回動自在に支持する支持部と、を備え、前記連結棒部は、前記連結部材の長手方向に沿って前記連結部材と連結すると共に、前記連結部材の動きに連動して回動することを特徴とする。
【００１８】
また、本発明の足場の支持装置では、前記建築物の屋根はハゼ式折板屋根であり、前記固定部は、少なくとも前記第１フレーム及び前記第２フレームに対して配設されるハゼ金具であり、前記固定部は、前記ハゼ式折板屋根のハゼ部に対して固定されることを特徴とする。
【００１９】
また、本発明の足場の支持装置では、前記第１フレーム及び前記第２フレームには、それぞれ前記ハゼ金具を配設する取付け孔が形成され、前記取付け孔は、少なくとも前記ハゼ金具を構成するボルトの径と略同じ大きさの第１の開口部と、前記第１フレームまたは前記第２フレームの延在方向へと前記ボルトの径よりも長い開口幅を有する第２の開口部と、を有していることを特徴とする。
【００２０】
また、本発明の足場の支持装置では、前記第１フレームと前記第２フレームとは、隣り合う前記ハゼ部のスパンと略同一幅だけ離間していることを特徴とする。
【００２１】
また、本発明の足場の支持装置では、前記枠体部は、前記第１フレームと前記第２フレームとの間に配設され、少なくともその一部が前記台座部に対して固定される第３フレームと、を備え、前記建築物の屋根は重ね式折板屋根であり、前記固定部は、前記建築物の梁に固定されるタイトフレームに対して配設される締結金具であり、前記第３フレームには、前記締結金具が配設される複数の取付け孔が形成されることを特徴とする。
【００２２】
また、本発明の足場の支持装置では、前記第３フレームは、前記支持部よりも前記第２フレーム側に配設され、前記第１フレーム及び前記第２フレームは、前記重ね式折板屋根に固定されることなく、前記重ね式折板屋根と当接することを特徴とする。
【００２３】
本発明の支持装置では、建築物の屋根に着脱自在に固定され、被支持対象物を前記屋根から離間した状態にて支える支持装置において、枠体部と、前記枠体部の上面に配設される連結機構と、前記枠体部に着脱自在に配設されると共に、前記枠体部を前記屋根に固定する複数の固定部と、を有し、前記連結機構は、前記被支持対象物が連結した連結部材と連結することを特徴とする。
【００２４】
また、本発明の支持装置では、前記連結機構は、前記連結部材と連結する連結棒部と、前記連結棒部を回動自在に支持する支持部と、前記連結棒部を前記支持部に対して固定する回動制止部と、を備えることを特徴とする。
【００２５】
また、本発明の支持装置では、前記支持部は、断面略コの字形状の柱状部材であり、前記柱状部材の対向する横側面には、それぞれ前記回動制止部が挿入される孔部が形成され、前記柱状部材の背側面には、前記被支持対象物を支持する支持棒材の一部が挿入される挿入受け部が配設されていることを特徴とする。
【００２６】
また、本発明の支持装置では、前記枠体部は、その長手方向に沿って前記固定部を取り付けるための複数の取付け孔が形成される第１フレームと、前記第１フレームと略平行に配置されると共に、その長手方向に沿って複数の前記取付け孔が形成される第２フレームと、前記第１フレームと前記第２フレームとを連結する台座部と、を備え、前記第１フレーム、前記第２フレーム及び前記台座部の上面は、略同一高さに配列され、前記連結機構は、前記台座部の上面の略中心部に配設されていることを特徴とする。
【００２７】
また、本発明の支持装置では、前記屋根は、ハゼ式折板屋根または重ね式折板屋根であることを特徴とする。
【発明の効果】
【００２８】
本発明の足場の支持装置は、少なくともその長手方向が対向して配設される第１フレームと第２フレームとを備える枠体部と、枠体部上面に配設される台座部と、台座部上面に配設される連結機構と、枠体部下面に配設される固定部と、を有している。そして、支持装置は、固定部を介して建築物の屋根に固定されると共に、連結機構は、足場と連結する連結部材と連結する。この構造により、足場の上端部が、支持装置を介して建築物の屋根に支持されることで、足場の安定性を大幅に向上させることができる。
【００２９】
また、本発明の足場の支持装置では、連結機構は、連結部材と連結する連結棒部と、台座部の略中心部に固定され、連結棒部を回動自在に支持する支持部と、を備える。そして、連結棒部は、連結部材の長手方向に沿って前記連結部材と連結することができる。また、連結棒部は、連結部材の動きに連動して回動することができる。この構造により、連結棒部と連結部材とは、出来る限り一直線状の位置関係に維持されることで、安定して足場を支持することができる。
【００３０】
また、本発明の足場の支持装置では、建築物の屋根はハゼ式折板屋根であり、固定部は、少なくとも第１フレーム及び第２フレームに対して配設されるハゼ金具である。そして、固定部は、ハゼ式折板屋根のハゼ部に対して固定される。この構造により、支持装置は、ハゼ部を利用してハゼ式折板屋根の任意の箇所に取り付けることができ、任意の箇所の足場を支持することができる。
【００３１】
また、本発明の足場の支持装置では、第１フレーム及び第２フレームには、それぞれハゼ金具を配設する取付け孔が形成され、取付け孔の一部は、ハゼ金具を構成するボルトの径よりも長い開口幅を有する開口部である。この構造により、普段、ハゼ金具を取り扱わない作業者でも、取付け孔の上記クリアランスを利用して、容易に支持装置をハゼ式折板屋根に取り付けることができる。
【００３２】
また、本発明の足場の支持装置では、第１フレームと第２フレームとは、隣り合うハゼ部のスパンと略同一幅だけ離間している。この構造により、支持装置は、ハゼ式折板屋根軒先側だけでなく、その側方に設置される足場と連結する連結部材も支持することができ、足場の全体を均等に支持することができる。
【００３３】
また、本発明の足場の支持装置では、枠体部は、第１フレームと第２フレームとの間に配設され、少なくともその一部が台座部に対して固定される第３フレームと、を備える。そして、建築物の屋根は重ね式折板屋根であり、固定部は、建築物の梁に対して固定されるタイトフレームに対して配設される締結金具を用いる。この構造により、支持装置は、重ね式折板屋根の締結金具を利用することで、重ね式折板屋根にも取り付けられ、足場を安定して支持することができる。
【００３４】
また、本発明の足場の支持装置では、第３フレームは、上記支持部よりも第２フレーム側に配設され、第１フレーム及び第２フレームは、重ね式折板屋根に固定されることなく、重ね式折板屋根と当接する。この構造により、支持装置は、第３フレームを介して重ね式折板屋根上面に固定されるが、第１フレーム及び第２フレームも用いて足場から加えられる外力に対抗することができる。そして、上記外力を分散することで、屋根や締結金具への負担を低減することができる。
【００３５】
本発明の支持装置では、建築物の屋根に着脱自在に固定され、被支持対象物を屋根から離間した状態にて支える支持装置において、枠体部と、枠体部の上面に配設される連結機構と、枠体部に着脱自在に配設されると共に、枠体部を屋根に固定する複数の固定部と、を有し、連結機構は、被支持対象物が連結した連結部材と連結する。この構造により、支持装置は、建築物の屋根にしっかりと固定されると共に、被支持対象物と連結する連結部材を支持することができる。そして、支持装置は、被支持対象物を屋根から離間した状態にて支えることができる。
【００３６】
また、本発明の支持装置では、連結機構は、連結部材と連結する連結棒部と、連結棒部を回動自在に支持する支持部と、連結棒部を支持部に対して固定する回動制止部と、を備える。この構造により、支持装置では、連結棒部と連結部材とが、出来る限り一直線状の位置関係に維持されることで、足場、店舗看板等の被支持対象物を屋根から離間した状態にて支えることができる。
【００３７】
また、本発明の支持装置では、支持部は、断面略コの字形状の柱状部材であり、柱状部材の対向する横側面には、それぞれ回動制止部が挿入される孔部が形成され、柱状部材の背側面には、被支持対象物を支持する支持部材の一部が挿入される挿入受け部が配設されていることを特徴とする。この構造により、支持装置では、挿入受け部を介して支持部材を支持することで、建築資材、足場板等の被支持対象物を屋根から離間した状態にて支えることができる。
【００３８】
また、本発明の支持装置では、枠体部は、その長手方向に沿って固定部を取り付けるための複数の取付け孔が形成される第１フレームと、第１フレームと略平行に配置されると共に、その長手方向に沿って複数の取付け孔が形成される第２フレームと、第１フレームと第２フレームとを連結する台座部と、を備え、第１フレーム、第２フレーム及び台座部の上面は、略同一高さに配列され、連結機構は、台座部の上面の略中心部に配設されている。この構造により、支持装置は、枠体部での耐久性や剛性を維持すると共に、小型化や軽量化が実現される。
【００３９】
また、本発明の支持装置では、屋根は、ハゼ式折板屋根または重ね式折板屋根である。この構造により、支持装置は、固定具としてハゼ金具やボルト締結部材等を用いることで、屋根に穴を開けることなく、屋根上面に安定して固定されることができる。
【図面の簡単な説明】
【００４０】
【図１】本発明の一実施形態の足場の支持装置を説明する（Ａ）斜視図、（Ｂ）上面図である。
【図２】本発明の一実施形態の足場の支持装置の使用状況を説明する斜視図である。
【図３】本発明の一実施形態の足場の支持装置の使用状況を説明する斜視図である。
【図４】本発明の他の実施形態の足場の支持装置を説明する（Ａ）斜視図、（Ｂ）下面図である。
【図５】本発明の他の実施形態の支持装置を説明する（Ａ）斜視図、（Ｂ）斜視図である。
【図６】本発明の他の実施形態の支持装置を説明する（Ａ）斜視図、（Ｂ）上面図である。
【図７】本発明の他の実施形態の支持装置の使用状況を説明する斜視図である。
【図８】本発明の他の実施形態の支持装置の使用状況を説明する斜視図である。
【図９】本発明の他の実施形態の支持装置の使用状況を説明する斜視図である。
【図１０】本発明の他の実施形態の支持装置の使用状況を説明する斜視図である。
【図１１】従来の足場の支持装置の使用状況を説明する斜視図である。
【発明を実施するための形態】
【００４１】
以下、本発明の一実施形態に係る足場４１（図３参照）の支持装置１０（以下、「支持装置１０」と呼ぶ。）を図面に基づき詳細に説明する。尚、本実施形態の説明の際には、同一の部材には原則として同一の符番を用い、繰り返しの説明は省略する。また、以下の説明では、上下方向は支持装置１０の高さ方向を示し、左右方向は支持装置１０の横幅方向を示し、前後方向は支持装置１０の奥行方向を示している。
【００４２】
図１（Ａ）は、本実施形態の支持装置１０を説明する斜視図である。図１（Ｂ）は、本実施形態の支持装置１０を説明する上面図である。
【００４３】
図１（Ａ）に示す支持装置１０は、建築物のハゼ式折板屋根１１のハゼ部１２に対して設置される構造である。そして、支持装置１０は、主に、枠体部１３と、枠体部１３の上面側に配設される台座部１４と、台座部１４の上面に配設される連結機構１５と、枠体部１３の下面側に配設される複数の固定部１６と、を有している。
【００４４】
枠体部１３は、その後方側に第１フレーム１３Ａが配設され、その前方側に第２フレーム１３Ｂが配設され、第１フレーム１３Ａと第２フレーム１３Ｂとの間に第３フレーム１３Ｃが配設されている。そして、第４フレーム１３Ｄ及び第５フレーム１３Ｅは、枠体部１３の左右方向の両端側にて、第１〜第３フレーム１３Ａ〜１３Ｃに対して溶接固定されている。尚、第１〜第３フレーム１３Ａ〜１３Ｃは、例えば、カラーＣ型鋼材から形成され、第４〜第５フレーム１３Ｄ〜１３Ｅは、例えば、等辺山形鋼材から形成されている。
【００４５】
図示したように、枠体部１３は、第１フレーム１３Ａ、第２フレーム１３Ｂ、第４フレーム１３Ｄ及び第５フレーム１３Ｅが枠状に溶接固定され、第３フレーム１３Ｃが、第１フレーム１３Ａと第２フレーム１３Ｂとの間であり、枠体部１３の奥行方向の中心ＣＬ２（図１（Ｂ）参照）よりも第２フレーム１３Ｂ側に配設されている。そして、第１〜第３フレーム１３Ａ〜１３Ｃは、その上面側にカラーＣ型鋼材の開口領域が位置するように配設されている。第４〜第５フレーム１３Ｄ〜１３Ｅは、第１〜第３フレーム１３Ａ〜１３ＣのカラーＣ型鋼材の折り返し領域に対して溶接固定されることで、枠体部１３での溶接領域が増大している。
【００４６】
台座部１４は、第４フレーム１３Ｄと第５フレーム１３Ｅとの間であり、枠体部１３の左右方向の中心ＣＬ１（図１（Ｂ）参照）に配設されている。台座部１４は、例えば、カラーＣ型鋼材から形成され、その下面側にカラーＣ型鋼材の開口領域が位置するように、枠体部１３の上面に溶接固定されている。図示したように、台座部１４と第１〜第３フレーム１３Ａ〜１３Ｃとは、お互いにカラーＣ型鋼材の折り返し領域にて溶接固定されることで、溶接領域が増大している。
【００４７】
つまり、枠体部１３の第１〜第３フレーム１３Ａ〜１３Ｃの左右方向の両端部では、それぞれと交差するように、第４〜第５フレーム１３Ｄ〜１３Ｅが溶接固定されている。更に、枠体部１３の第１〜第３フレーム１３Ａ〜１３Ｃの中央ＣＬ１では、それぞれと交差するように、台座部１４が溶接固定されている。
【００４８】
この構造により、第１〜第３フレーム１３Ａ〜１３Ｃは、外力により捻じれ難い構造となる。そして、足場４１（図３参照）との連結部材３１（図２参照）から支持装置１０に外力が加わり、枠体部１３に捻じれ等が発生した場合でも、上記外力により枠体部１３が破損することが防止され、支持装置１０は、安定した状態にて足場４１を支持することができる。
【００４９】
連結機構１５は、連結部材３１（図２参照）、例えば、単管パイプと連結し、足場４１の上端側がハゼ式折板屋根１１に対して固定される。そして、連結機構１５は、主に、台座部１４の上面に固定される支持部１５Ａと、支持部１５Ａにより回動自在に支持される連結棒部１５Ｂと、連結棒部１５Ｂの先端側に配設されるストッパー部１５Ｃと、連結棒部１５Ｂを台座部１４に対して直立状態に支持する固定ピン部１５Ｄと、を有している。
【００５０】
支持部１５Ａは、第１フレーム１３Ａと第２フレーム１３Ｂとの間の台座部１４上面であり、枠体部１３の奥行方向の中心ＣＬ２（図１（Ｂ）参照）に配設されている。支持部１５Ａは、例えば、溝型鋼材から形成され、台座部１４の上面に溶接固定されている。そして、支持部１５Ａの長手方向における断面形状は略コの字形状であり、支持部１５Ａは第２フレーム１３Ｂ側に溝型鋼材の開口領域が位置するように配設されている。
【００５１】
連結棒部１５Ｂは、例えば、単管パイプを所望の長さに切断して形成され、その下端側にて支持部１５Ａに対して回動自在にピン連結されている。連結棒部１５Ｂは、直立状態時において、その大部分が支持部１５Ａの内側に収納されるように支持され、支持部１５Ａよりも長く形成されている。そして、連結棒部１５Ｂは、台座部１４の上面に横たわる状態から支持部１５Ａに沿って直立する状態までの約９０度の範囲にて回動することができる。連結棒部１５Ｂは、連結部材３１の設置時の角度に合わせて回動することができると共に、設置後も連結部材３１の動きに連動して可動することができる。
【００５２】
上述したように、支持部１５Ａは、連結棒部１５Ｂを回動自在に支持できる長さがあればよく、連結棒部１５Ｂが、支持部１５Ａよりも長い構造となる。この構造により、支持装置１０を積層して収納する場合でも、支持部１５Ａが邪魔になることが防止され、その収納性や搬送性が向上される。
【００５３】
一対のストッパー部１５Ｃが、連結棒部１５Ｂの上端側であり、連結棒部１５Ｂの外周面に突起するように配設されている。ストッパー部１５Ｃは、例えば、ピン状の鋼材であり、連結棒部１５Ｂに形成された一対の孔部（図示せず）に対して挿通し、その両端部を加締め加工することで、連結棒部１５Ｂを貫通した状態にて配設されている。
【００５４】
固定ピン部１５Ｄは、チェーン等の一端側に配設されている。支持部１５Ａには、その左右方向に貫通する一対の孔部１５Ｅが同一の高さに形成され、連結棒部１５Ｂにも、その左右方向に貫通する一対の孔部１５Ｆが形成されている。そして、連結棒部１５Ｂが、台座部１４に対して直立状態となった際に、両孔部１５Ｅ、１５Ｆは左右方向に重なって配列され、固定ピン部１５Ｄは、両孔部１５Ｅ、１５Ｆに対して挿通されることで、連結棒部１５Ｂは、上記直立状態を維持することができる。
【００５５】
固定部１６は、ハゼ金具であり、例えば、第１フレーム１３Ａに形成された取付け孔２１、２２（図１（Ｂ）参照）及び第２フレーム１３Ｂに形成された取付け孔２３、２４（図１（Ｂ）参照）を介してそれぞれ第１フレーム１３Ａ及び第２フレーム１３Ｂに対してボルト固定されている。
【００５６】
図示したように、固定部１６は、ハゼ式折板屋根１１のハゼ部１２を挟み込むことで、支持装置１０はハゼ式折板屋根１１の上面に固定される。固定部１６は、ハゼ式折板屋根１１のハゼ部１２間のスパンに合わせて配設されている。そして、ハゼ部１２は、ハゼ式折板屋根１１の勾配に合わせて上流側端部（屋根の頂部）から下流側端部（屋根の軒先）まで連続して形成されているため、支持装置１０は、ハゼ式折板屋根１１の任意の箇所に設置可能となる。
【００５７】
尚、固定部１６は、第１フレーム１３Ａ及び第２フレーム１３Ｂに対して４箇所配設される場合に限定されるものではなく、第３フレーム１３Ｃに対してもハゼ部１２間のスパンに合わせて１対配設し、支持装置１０が、合計６箇所の固定部１６にてハゼ式折板屋根１１上面に固定される場合でも良い。
【００５８】
図１（Ｂ）では、支持装置１０を上面側からみた状態を示している。上述したように、枠体部１３は、その前方側から後方側に向けて第２フレーム１３Ｂ、第３フレーム１３Ｃ及び第１フレーム１３Ａが、略平行に配列されている。そして、第１フレーム１３Ａ及び第２フレーム１３Ｂには、固定部１６（図１（Ａ）参照）であるハゼ金具がボルト固定されるための複数の取付け孔２１、２２、２３、２４が形成されている。取付け孔２１〜２４が複数形成されることで、ハゼ式折板屋根１１（図１（Ａ）参照）のハゼ部１２（図１（Ａ）参照）の様々なスパンに対応することができる。尚、図１（Ｂ）では、説明の都合上、固定部１６は省略して図示している。
【００５９】
図示したように、第１フレーム１３Ａには、その長手方向に渡り複数の取付け孔２１、２２が形成されている。第１フレーム１３Ａの中心ＣＬ１よりも左側の取付け孔２１は、使用されるボルト（図示せず）の径と略同等の大きさの円状の開口部となる。一方、第１フレーム１３Ａの中心ＣＬ１よりも右側の取付け孔２２は、楕円形状の開口部となり、取付け孔２１よりも紙面左右方向に長い開口部となる。具体的には、取付け孔２２は、第１フレーム１３Ａの長手方向に沿って長い開口幅を有し、その長さは、使用されるボルトの径の約１．５倍であり、取付け孔２２の短い開口幅の長さは、使用されるボルトの径と略同等の長さである。
【００６０】
この構造により、作業者は、支持装置１０をハゼ式折板屋根１１に取り付ける際に、最初に取付け孔２１側の固定部１６をハゼ部１２（図１（Ａ）参照）に固定した後、取付け孔２２側の固定部１６をハゼ部１２に固定する。つまり、取付け孔２２が楕円形状の開口部となることで、普段、ハゼ金具に慣れていない人でも、取付け孔２２のクリアランスを利用しながら簡単に固定部１６をハゼ部１２に取り付けることができる。尚、少なくとも取付け孔２１は、ボルトの径と略同等の大きさの開口部となることで、固定部１６の固定状態が緩み、支持装置１０がハゼ部１２から外れ易くなることが防止される。
【００６１】
尚、図示したように、第２フレーム１３Ｂの取付け孔２３、２４に関しても、上述した第１フレーム１３Ａの取付け孔２１、２２と同等の構造であり、上述した説明を参照し、ここではその説明を割愛する。
【００６２】
図２は、本実施形態の支持装置１０をハゼ式折板屋根１１上に設置した状況を説明する斜視図である。図３は、本実施形態の支持装置１０をハゼ式折板屋根１１上に設置し、足場４１を支持する状況を説明する斜視図である。
【００６３】
図２に示す如く、ハゼ式折板屋根１１は、紙面後方側から前方側へと向けて傾斜している。そして、固定部１６である４箇所のハゼ金具が、ハゼ式折板屋根１１のハゼ部１２を挟み込むことで、支持装置１０は、ハゼ式折板屋根１１の上面に設置されている。一方、支持装置１０の連結棒部１５Ｂには、足場４１（図３参照）と支持装置１０とを連結させる連結部材３１、例えば、単管パイプの一端側が、自在クランプ３２、３３を介して連結されている。
【００６４】
上述したように、連結棒部１５Ｂは、支持部１５Ａに対して回転自在にピン連結され、連結棒部１５Ｂは、台座部１４の上面から支持部１５Ａまでの約９０度の範囲にて回動することができる。この構造により、連結棒部１５Ｂは、連結部材３１の長手方向に沿って一直線状となる様に連結部材３１と連結することができる。そして、足場４１が強風等により前後方向に揺れ、足場４１が建築物から離れる方向へと傾斜することで、連結棒部１５Ｂには連結部材３１を介して引っ張られる外力が加わる。上記引っ張られる外力が加わった際に、連結棒部１５Ｂと連結部材３１とが一直線状の位置関係にあることで、出来る限りの大きい反力にて連結部材３１をハゼ式折板屋根１１側へと引っ張り返すことができる。
【００６５】
つまり、連結棒部１５Ｂは、連結部材３１と連結した状態においても、上記約９０度の範囲にて回動することができるので、足場４１の揺れにより、連結部材３１とハゼ式折板屋根１１との成す角度が変わった場合でも、連結棒部１５Ｂも連動して回動することができる。そして、連結棒部１５Ｂと連結部材３１とが上記一直線状の位置関係に近づく様になることで、出来る限り大きい反力にて足場４１の上端側を支持することができる。
【００６６】
尚、足場４１が建築物側へと傾斜し、連結棒部１５Ｂに連結部材３１を介してハゼ式折板屋根１１側へと押し込む外力が発生した場合でも、連結棒部１５Ｂと連結部材３１とが上記一直線状の位置関係または上記一直線状に近い位置関係を維持することで、出来る限りの大きい反力にて連結部材３１を足場４１側へと押し返すことができる。そして、足場４１が、建築物側へと倒れることを防止することができる。
【００６７】
更に、一対のストッパー部１５Ｃが、連結棒部１５Ｂの上端側であり、連結棒部１５Ｂの外周面に突起するように配設されている。そして、少なくとも２個の自在クランプ３２、３３が、ストッパー部１５Ｃと支持部１５Ａとの間にて、連結棒部１５Ｂと連結部材３１とを連結するスペースを有するように、ストッパー部１５Ｃが、連結棒部１５Ｂの上端側に配設されている。
【００６８】
この構造により、連結棒部１５Ｂと連結部材３１とは、２個の自在クランプ３２、３３により強固に連結することができる。特に、連結部材３１を介して連結棒部１５Ｂを引っ張る外力が発生し、連結部材３１が連結棒部１５Ｂから引き抜かれそうになった場合には、先ずは、自在クランプ３３が、ストッパー部１５Ｃに引っ掛かることで、連結部材３１が連結棒部１５Ｂから引き抜かれることが防止される。
【００６９】
上述したように、枠体部１３は、少なくとも第１フレーム１３Ａ及び第２フレーム１３Ｂの下面にて固定部１６を介してハゼ部１２に対して固定される。この構造により、上記引っ張られる外力や押し込む外力に対して、図１１に示す従来の支持部材１０２による線として対抗するのではなく、枠体部１３としての面として対抗することで、支持装置１０はハゼ部１２から外れ難くなり、より強固に足場４１（図３参照）を支持することができる。また、個々の固定部１６に加わる外力を分散することができるので、個々の固定部１６への負荷やハゼ部１２を含めたハゼ式折板屋根１１への負荷を和らげ、固定部１６の破損やハゼ部１２の破損を防止することができる。
【００７０】
図３に示す如く、足場４１は、建築現場の作業者が鉄筋組み作業や型枠の建込作業、外壁や屋根の設置作業等を行う際の通路として用いられる。上記作業効率を高めるためや屋根の端部構造を避けるため、足場４１は、通常、建築物よりも高く組まれている。そして、足場４１は、強風や作業員の移動による振動等により揺れ易い構造となっているが、上述した支持装置１０をハゼ式折板屋根１１上に複数設置し、連結部材３１を介して複数箇所にて足場４１の上端側をハゼ式折板屋根１１に対して固定することで、足場４１の安定性を大幅に向上させることができる。尚、図３では、説明の都合上、ハゼ部１２は省略して図示している。
【００７１】
上述したように、ハゼ部１２（図２参照）は、ハゼ式折板屋根１１の勾配に合わせて上流側端部（屋根の頂部）から下流側端部（屋根の軒先）まで連続して形成されており、支持装置１０は、連結部材３１の長さや角度に応じてハゼ式折板屋根１１の任意の箇所に設置することが可能である。そして、第１フレーム１３Ａ（図１（Ｂ）参照）と第２フレーム１３Ｂ（図１（Ｂ）参照）とのスパンをハゼ部１２間のスパンに対応させることで、ハゼ式折板屋根１１の軒先側の足場４１だけでなく、ハゼ式折板屋根１１の側方側の足場４１に対しても支持装置１０及び連結部材３１を介して足場４１を支持することができる。
【００７２】
この構造により、連結部材３１がハゼ式折板屋根１１のハゼ部１２に届く範囲内においては、支持装置１０は、建築物の周囲のあらゆる位置の足場４１も支持することができる。そして、支持装置１０では、枠体部１３が面として機能し、足場４１の揺れ等に起因する引っ張られる外力や押し込む外力に対抗することができ、足場４１の安定性を大幅に向上させることができる。
【００７３】
尚、本実施形態では、支持装置１０は、連結部材３１と連結し、足場４１を支持する場合について説明したが、この場合に限定するものではない。例えば、支持装置１０を一定間隔にてハゼ式折板屋根１１の端部に沿って配設し、連結棒部１５Ｂの先端側に１ｍ程度の単管パイプを取り付けることで、親綱の取付け装置として用いることもできる。上述したように、連結棒部１５Ｂは、固定ピン部１５Ｄを介して支持部１５Ａに対して直立状態を維持することができ、各支持装置１０に対して親綱を張ることで、作業者は、安全帯を親綱に連結させながら、建築物からの落下を防止することができる。その他、本発明の要旨を逸脱しない範囲にて種々の変更が可能である。
【００７４】
次に、本発明の他の実施形態に係る足場４１（図３参照）の支持装置５０（以下、「支持装置５０」と呼ぶ。）を図面に基づき詳細に説明する。そして、支持装置５０は、建築物の重ね式折板屋根５１に対して設置される構造であり、上述したハゼ式折板屋根１１に設置される支持装置１０とは、固定部５２による固定構造が異なるが、その他の構成部材は実質同一である。そのため、以下の説明では、支持装置１０と異なる構造を中心に説明し、同一の構成部材には、同一の符番を付し、図１から図３の説明を参照し、ここではその説明を割愛する。
【００７５】
図４（Ａ）は、本実施形態の支持装置５０を説明する斜視図である。図４（Ｂ）は、本実施形態の支持装置５０を説明する下面図である。
【００７６】
図４（Ａ）に示す支持装置５０は、建築物の重ね式折板屋根５１に対して設置される構造である。そして、支持装置５０は、主に、枠体部１３と、枠体部１３の上面側に配設される台座部１４と、台座部１４の上面に配設される連結機構１５と、枠体部１３に配設される複数の固定部５２と、を有している。
【００７７】
重ね式折板屋根５１は、建築物の梁部（図示せず）上面に溶接固定されたタイトフレーム（図示せず）の剣先ボルト５２Ａにて貫通され、タイトフレーム上にナット５２Ｂ、座金５２Ｃ及びパッキン（図示せず）を介して固定されている。そして、支持装置５０は、重ね式折板屋根５１の上記剣先ボルト５２Ａ、ナット５２Ｂ及び座金５２Ｃと、第３フレーム１３Ｃの取付け孔５３、５４（図４（Ｂ）参照）と、を固定部５２として利用することで、重ね式折板屋根５１上面に設置される。
【００７８】
図４（Ｂ）に示す如く、第３フレーム１３Ｃには、その長手方向に渡り複数の取付け孔５３、５４が形成されている。第３フレーム１３Ｃの中心ＣＬ１に位置する台座部１４の左右両側には、重ね式折板屋根５１の山部間のスパン（剣先ボルト５２Ａ間のスパン）に合わせて複数の取付け孔５３が形成されている。そして、取付け孔５３は、剣先ボルト５２Ａの径と同等の大きさの円状の開口部となる。
【００７９】
一方、第３フレーム１３Ｃの中心ＣＬ１には、取付け孔５３よりも開口面積が大きい円状の取付け孔５４が形成されている。図示したように、取付け孔５４は、台座部１４の下面に位置するため、支持装置５０を重ね式折板屋根５１に設置する際、作業者は、支持装置５０の上方からは取付け孔５４の位置を確認し難い。そこで、取付け孔５４の開口面積を大きくすることで、作業者は、取付け孔５４に対して剣先ボルト５２Ａを挿通し易くなり、設置作業性を向上させることができる。
【００８０】
この構造により、支持装置５０は、タイトフレームの配設領域に合わせて重ね式折板屋根５１の上面に設置され、その設置状態では、第１〜第３フレーム１３Ａ〜１３Ｃが、重ね式折板屋根５１の山部と当接した状態となる。
【００８１】
図２を用いて上述したように、足場４１（図３参照）が強風等により前後方向に揺れ、足場４１が建築物から離れる方向へと傾斜することで、連結棒部１５Ｂには連結部材３１を介して引っ張られる外力が加わる。上記引っ張られる外力が加わった際に、連結棒部１５Ｂと連結部材３１とが一直線状の位置関係になることで、出来る限りの大きい反力にて連結部材３１を重ね式折板屋根５１へと引っ張り返すことができる。
【００８２】
そして、図４（Ａ）に示す支持装置５０の設置状態では、上記引っ張られる外力が加わることで、枠体部１３には重ね式折板屋根５１の軒先側へと回転する方向への力が加わる。このとき、支持装置５０では、第３フレーム１３Ｃは、重ね式折板屋根５１に固定されると共に、第３フレーム１３Ｃは、連結機構１５の支持部１５Ａよりも軒先側の第２フレーム１３Ｂの近くに配設されている。この構造により、支持装置５０が、足場４１に引っ張られる際に、第２フレーム１３Ｂ及び第３フレーム１３Ｃが重ね式折板屋根５１に当接し、支持装置５０が、重ね式折板屋根５１から外れない様に固定状態を維持することができる。また、第３フレーム１３Ｃに加わる外力が分散することで、上記固定領域の重ね式折板屋根５１や剣先ボルト５２Ａが破損し難くなる。
【００８３】
尚、足場４１が建築物側へと傾斜し、連結棒部１５Ｂに連結部材３１を介して重ね式折板屋根５１側へと押し込む外力が発生する。そして、この場合でも、連結棒部１５Ｂと連結部材３１とが上記一直線状の位置関係または上記一直線状に近い位置関係を維持することで、出来る限りの大きい反力にて連結部材３１を足場４１側へと押し返すことができる。そして、足場４１が、建築物側へと倒れることを防止することができる。
【００８４】
また、上記押し込む外力が加わることで、枠体部１３には重ね式折板屋根５１の頂部側へと回転する方向への力が加わる。このとき、支持装置５０では、第１フレーム１３Ａ及び第３フレーム１３Ｃが重ね式折板屋根５１に当接し、重ね式折板屋根５１から外れない様に固定状態を維持することができる。そして、第３フレーム１３Ｃに加わる外力が分散することで、上記固定領域の重ね式折板屋根５１や剣先ボルト５２Ａが破損し難くなる。
【００８５】
また、重ね式折板屋根５１への支持装置５０の設置箇所は、支持装置１０と比較すると、タイトフレームの設置位置により制約を受けるが、支持装置５０は、建築物の軒先側だけでなく、その周囲の足場４１も支持することができる。そして、支持装置５０では、枠体部１３が面として機能し、足場４１の揺れ等に起因する引っ張られる外力や押し込む外力に対抗することができ、足場４１の安定性を大幅に向上させることができる。
【００８６】
尚、支持装置５０では、図４（Ａ）に示すように、支持装置１０の固定部１６を取り付けた状態にて重ね式折板屋根５１に設置される場合でも良い。この場合、固定部１６であるハゼ金具が、重ね式折板屋根５１の谷部の間に位置するように、第３フレーム１３Ｃの取付け孔５３、５４の位置を選択すれば良い。その他、本発明の要旨を逸脱しない範囲にて種々の変更が可能である。
【００８７】
次に、本発明の他の実施形態に係る支持装置６０を図面に基づき詳細に説明する。尚、本実施形態の説明の際には、同一の部材には原則として同一の符番を用い、繰り返しの説明は省略する。尚、支持装置６０の説明では、図１から図４を用いて説明した足場の支持装置１０，５０と同一の構成部材には、同一の付番を付し、その説明を参照する。
【００８８】
図５（Ａ）及び図５（Ｂ）は、本実施形態の支持装置６０を説明する斜視図である。図６（Ａ）は、本実施形態の支持装置６０の連結機構６３の回動制止部６５を説明する斜視図である。図６（Ｂ）は、本実施形態の支持装置６０の枠体部６１の取付け孔２１，２２，２３，２４，５３を説明する上面図である。尚、図６（Ｂ）では、中心ＣＬ１は、枠体部６１の左右方向のセンターラインを示し、中心ＣＬ２は、枠体部６１の前後方向のセンターラインを示している。
【００８９】
図５（Ａ）に示す如く、支持装置６０は、主に、枠体部６１と、枠体部６１の台座部６２の上面に配設される連結機構６３と、枠体部６１に配設される固定部６４と、を有している。そして、図１（Ａ）及び図１（Ｂ）を用いて上述したように、建築物の屋根がハゼ式折板屋根１１の場合には、固定部６４としてハゼ金具が用いられ、上記ハゼ金具がハゼ式折板屋根１１のハゼ部１２を挟み込むことで、支持装置６０は、ハゼ式折板屋根１１の任意の箇所に取り付けることが可能となる。
【００９０】
一方、図４（Ａ）及び図４（Ｂ）を用いて上述したように、建築物の屋根が重ね式折板屋根５１の場合には、固定部６４として、重ね式折板屋根５１の剣先ボルト５２Ａ、ナット５２Ｂ及び座金５２Ｃが用いられ、第３フレーム１３Ｃの取付け孔５３，５４を介して支持装置６０は、重ね式折板屋根５１の上面に取り付けられる。尚、以下の説明では、支持装置６０が、ハゼ式折板屋根１１の上面に取り付けられる場合について説明するが、重ね式折板屋根５１に対しても支持装置６０を取り付け、同様な効果を得ることができる。
【００９１】
図５（Ａ）に示す如く、枠体部６１は、その後方側に第１フレーム１３Ａが配設され、その前方側に第２フレーム１３Ｂが配設され、第１フレーム１３Ａと第２フレーム１３Ｂとの間に第３フレーム１３Ｃが配設されている。そして、第４フレーム１３Ｄ及び第５フレーム１３Ｅは、枠体部６１の左右方向の両端側にて、第１〜第３フレーム１３Ａ〜１３Ｃに対して溶接固定されている。
【００９２】
図示したように、台座部６２は、枠体部６１の一部として配設され、第４フレーム１３Ｄと第５フレーム１３Ｅとの間であり、枠体部６１の左右方向の中心ＣＬ１（図６（Ｂ）参照）に配設されている。そして、台座部６２は、例えば、カラーＣ型鋼材から形成され、第１フレーム１３Ａと第２フレーム１３Ｂの内側の側面に対して溶接固定されることで、第１フレーム１３Ａ及び第２フレーム１３Ｂと略同一高さ位置、つまり、それらの上面が同じ高さ位置なる様に配列されている。
【００９３】
また、第３フレーム１３Ｃは、台座部６２との交差領域にて２分割され、それぞれ台座部６２の側面に溶接固定されている。この構造により、枠体部６１の厚みは、大凡、第１及び第２フレーム１３Ａ，１３Ｂの厚みとなり、所望の剛性を維持しつつ薄型化が実現されると共に、枠体部６１の鋼材量を低減することで軽量化が実現されている。
【００９４】
図５（Ａ）及び図６（Ａ）に示す如く、連結機構６３は、主に、台座部６２の上面であり、中心ＣＬ１と中心ＣＬ２とが交差する略中央に固定される支持部１５Ａと、支持部１５Ａにより回動自在にピン連結される連結棒部１５Ｂと、連結棒部１５Ｂの先端側に配設されるストッパー部１５Ｃと、連結棒部１５Ｂを台座部６２に対して直立状態に固定する回動制止部６５と、支持部１５Ａに配設される挿入受け部６６と、を有している。そして、連結機構６３の構造及び動作は、図１から図４を用いて上述した連結機構１５と同様であり、支持装置６０では、主に、回動制止部６５及び挿入受け部６６の構造が相違する。
【００９５】
図６（Ａ）に示すように、回動制止部６５は、例えば、円柱形状の鉄鋼材を曲げ加工して形成され、その先端部には、係止ピン６７を着脱自在に挿入するための係止孔６５Ａが形成されている。そして、支持部１５Ａは、その断面形状が略コの字形状の柱状部材であり、その左右方向の横側面６８には、その左右方向に貫通する一対の孔部１５Ｅ（図１（Ａ）参照）が同一の高さに形成されている。また、連結棒部１５Ｂにも、その左右方向に貫通する一対の孔部１５Ｆ（図１（Ａ）参照）が形成されている。
【００９６】
この構造により、連結棒部１５Ｂが、台座部６２に対して直立状態となった際に、両孔部１５Ｅ、１５Ｆは左右方向に重なって配列され、回動制止部６５は、両孔部１５Ｅ、１５Ｆに対して挿通されることで、連結棒部１５Ｂは、上記直立状態を維持することができる。そして、係止ピン６７が、回動制止部６５の係止孔６５Ａに挿入されることで、回動制止部６５が両孔部１５Ｅ、１５Ｆから抜けることが防止される。更には、回動制止部６５が、支持部１５Ａの前面開口側を塞ぐように配設されることで、より確実に連結棒部１５Ｂの上記直立状態を維持することができる。尚、回動制止部６５には、連結用チェーン６９が連結され、連結用チェーン６９は、支持部１５Ａの下端部近傍に連結されている。
【００９７】
図６（Ｂ）に示す如く、枠体部６１の第１フレーム１３Ａ及び第２フレーム１３Ｂには、固定部６４としてのハゼ金具がボルト固定されるための複数の取付け孔２１，２２，２３，２４が形成されている。この構造により、支持装置６０は、ハゼ式折板屋根１１（図１（Ａ）参照）のハゼ部１２（図１（Ａ）参照）の様々なスパンに対応することができる。尚、図６（Ｂ）では、説明の都合上、連結棒部１５Ｂ、固定部６４及び回動制止部６５は省略して図示している。
【００９８】
また、第３フレーム１３Ｃには、その長手方向に渡り複数の取付け孔５３が形成されている。第３フレーム１３Ｃの中心ＣＬ１に位置する台座部６２の左右両側には、重ね式折板屋根５１（図４（Ａ）参照）の山部間のスパン（剣先ボルト５２Ａ（図４（Ａ）参照）間のスパン）に合わせて複数の取付け孔５３が形成されている。そして、取付け孔５３は、剣先ボルト５２Ａの径と同等の大きさの円状の開口部となる。この構造により、支持装置６０は、タイトフレームの配設領域に合わせて重ね式折板屋根５１の上面に設置され、その設置状態では、第１〜第３フレーム１３Ａ〜１３Ｃが、重ね式折板屋根５１の山部と当接した状態となる。
【００９９】
ここで、図５（Ｂ）に示す如く、支持装置６０では、連結機構６３の支持部１５Ａの前面開口部を右側に向けて配設する場合でも良い。図１及び図３に示すように、ハゼ式折板屋根１１のハゼ部１２は、通常、一方向に並列に配列されるため、建築物の左右側方の足場４１を支持する為には、支持装置６０を９０度回転して設置する必要がある。しかしながら、支持装置６０では、支持部１５Ａの前面開口部の向きを９０度変えることで、支持装置６０の設置方向を変更することなく対応することが出来る。尚、図示していないが、支持装置６０では、同様に、連結機構６３の支持部１５Ａの前面開口部を左側や後方側に向けて配設する場合でも良い。
【０１００】
次に、図７から図１０を用いて、本実施形態の支持装置６０の使用状況を説明する。図７は、本実施形態の支持装置６０を用いて、ハゼ式折板屋根１１上に親綱７４を設置した状況を説明する斜視図である。図８は、本実施形態の支持装置６０を用いて、ハゼ式折板屋根１１上に建築資材８３を載置する状況を説明する斜視図である。図９は、本実施形態の支持装置６０を用いて、ハゼ式折板屋根１１上に足場板８４を設置した状況を説明する斜視図である。図１０は、本実施形態の支持装置６０を用いて、ハゼ式折板屋根１１を利用して店舗看板９１を支持した状況を説明する斜視図である。
【０１０１】
尚、本実施形態では、下記連結部材３１の一例である単管パイプ、親綱７４、建築資材８３、足場板８４、店舗看板９１が、特許請求の範囲に記載する被支持対象物に該当し、それらの被支持対象物は、支持装置６０に支持されることで、ハゼ式折板屋根１１等の建築物の屋根から離間した状態を実現している。
【０１０２】
先ず、図２に示す如く、支持装置６０は、支持装置１０と同様に、足場４１（図３参照）を安全に支持することができる。そして、支持装置６０は、固定部６４としてハゼ金具を用いて、ハゼ式折板屋根１１のハゼ部１２を挟み込むことで、ハゼ式折板屋根１１の上面に設置される。支持装置６０の連結棒部１５Ｂには、足場４１と支持装置６０とを連結させる連結部材３１、例えば、単管パイプの一端側が、自在クランプ３２，３３を介して連結される。
【０１０３】
この構造により、支持装置６０では、支持装置１０と同様に、連結棒部１５Ｂは、連結部材３１と連結した状態においても、約９０度の範囲にて回動し、足場４１の揺れにより、連結部材３１とハゼ式折板屋根１１との成す角度が変わった場合でも、連結棒部１５Ｂも連動して回動することができる。そして、連結棒部１５Ｂと連結部材３１とが上記一直線状の位置関係に近づく様になることで、出来る限り大きい反力にて足場４１の上端側を支持することができる。
【０１０４】
尚、図示していないが、建築現場等の状況によりクレーン車が利用出来ない場合には、建築資材８３（図８参照）等を吊り上げるための荷揚げ装置（図示せず）を足場４１に設置する。この場合、その荷揚げ装置を設置するための追加足場（図示せず）が、足場４１の上端部に組み上げられる。そして、その一端側が追加足場と連結した連結部材３１、例えば、単管パイプの一端側が、自在クランプ３２，３３を介して、支持装置６０に連結されることで、支持装置６０は、追加足場を安全に支えることができる。
【０１０５】
次に、図７に示す如く、支持装置６０は、作業者の安全帯のフック（図示せず）を引っ掛ける親綱７４を支持することができる。例えば、複数の支持装置６０は、ハゼ式折板屋根１１の軒先に沿って一定間隔にて設置される。個々の支持装置６０では、上述したように、連結機構６３の回動制止部６５を介して、連結棒部１５Ｂが、台座部６２に対して直立状態に固定されている。そして、連結棒部１５Ｂの先端側に配設されるストッパー部１５Ｃ（図６（Ａ）参照）を利用して、連結棒部１５Ｂの先端に単管ジョイント７１を連結し、単管ジョイント７１の先端に１ｍ程度の単管パイプ７２を連結している。
【０１０６】
上記構造により、個々の支持装置６０では、枠体部６１の略中心に１ｍ程度の単管パイプ７２が直立した状態となる。そして、単管パイプ７２の先端側に、例えば、オーフ型やフック型のパイプハンガ７３を取り付け、そのパイプハンガ７３を利用して親綱７４を配置する。その結果、作業者は、安全帯のフックを親綱７４に引っ掛けながら作業を行うことで、落下事故等を防止し、安全な作業を行うことができる。尚、単管ジョイント７１、単管パイプ７２及びパイプハンガ７３が、特許請求の範囲に記載する連結部材に該当する。
【０１０７】
次に、図８に示す如く、支持装置６０は、対向して配置された連結機構６３の挿入受け部６６を利用して、ハゼ式折板屋根１１の上方に建築資材８３等を載置することができる。例えば、４つの支持装置６０を準備し、２つの連結機構６３の挿入受け部６６が対向するように、ハゼ式折板屋根１１に設置する。尚、この使用態様では、個々の支持装置６０では、上述したように、連結機構６３の回動制止部６５を介して、連結棒部１５Ｂが、台座部６２に対して直立状態に固定される場合でも、固定されない場合でも良い。
【０１０８】
図示したように、挿入受け部６６は、主柱部１５Ａの前面開口部の反対側である背側面７０（図６（Ａ）参照）に溶接固定されている。挿入受け部６６間と同じ長さの楔式パイプ８１，８２の両先端部が、それぞれ上記一対の支持装置６０の挿入受け部６６に対して挿入され、楔式パイプ８１，８２は上記一対の支持装置６０の挿入受け部６６間を架橋する。そして、楔式パイプ８１，８２は、ハゼ式折板屋根１１から一定の隙間分だけ離間すると共に、楔式パイプ８１，８２は、建築資材８３の大きさや長さに応じて離間している。尚、楔式パイプ８１，８２が、特許請求の範囲に記載する支持部材に該当する。
【０１０９】
この構造により、例えば、クレーン車にて地上からハゼ式折板屋根１１へと搬送された建築資材８３は、その長手方向の両端側が楔式パイプ８１，８２にて支持されることで、ハゼ式折板屋根１１から離間して載置される。その結果、建築資材８３が、直接、ハゼ式折板屋根１１の上面に載置されることが防止され、ハゼ式折板屋根１１が損傷することが防止される。また、建築資材８３は、玉掛け用ロープ（図示せず）等にて持ち上げられるが、建築資材８３は、楔式パイプ８１，８２の上面に載置された後に、上記玉掛け用ロープは外されるため、上記玉掛け用ロープが、建築資材８３とハゼ式折板屋根１１との間に挟まることがなく、作業性が大幅に向上される。
【０１１０】
次に、図９に示す如く、支持装置６０は、上記楔式パイプ８１，８２を利用して足場板８４を支持することで、ハゼ式折板屋根１１上に作業員の通路を確保することができる。図８を用いて上述したように、２つの挿入受け部６６が対向するように、複数の支持装置６０が、ハゼ式折板屋根１１の作業領域に応じて、ハゼ式折板屋根１１に設置される。
【０１１１】
具体的には、一対の支持装置６０が、それらの挿入受け部６６が対向して配設されると共に、一対の支持装置６０の組み合わせが、使用する足場板８４の長さに応じて離間して配設される。そして、一対の支持装置６０の挿入受け部６６間が、楔式パイプ８１，８２にて架橋され、足場板８４の両端側のフックが楔式パイプ８１，８２に引っ掛けられることで、足場板８４による通路が、ハゼ式折板屋根１１上に形成される。この構造により、作業員が、直接、ハゼ式折板屋根１１の上面を歩くことが大幅に低減され、ハゼ式折板屋根１１が損傷し難くなると共に、作業員が、安全に作業を行うことができる。
【０１１２】
次に、図１０に示す如く、支持装置６０は、ハゼ式折板屋根１１を備えた店舗の上端部に設置された店舗看板９１を支持することができる。店舗看板９１は、店舗の入り口側の端部や幹線道路沿いの端部に設置され、広い面積を有すると共に、その質量も大きくなる。そのため、ハゼ式折板屋根１１側には、店舗看板９１を安全に支持する支持構造が必要となり、従来では、ハゼ式折板屋根１１に穴を開け、Ｌ字アングル等の支持部材を店舗の梁に溶接固定していた。
【０１１３】
複数の支持装置６０が、店舗看板９１の設置箇所周辺のハゼ式折板屋根１１に設置される。そして、図２を用いて上述したように、店舗看板９１と支持装置６０とを連結させる連結部材３１、例えば、単管パイプの一端側が、自在クランプ３２，３３を介して連結される。この構造により、ハゼ式折板屋根１１に穴を開けることなく、安全に店舗看板９１を支持することができる。
【０１１４】
また、図示したように、支持装置６０の連結機構６３は、支持部１５Ａのみから形成される場合でも良い。この場合には、店舗看板９１と支持装置６０とを連結させる連結部材３１として、例えば、Ｌ字アングルを用い、Ｌ字アングルの一端側は店舗看板９１の枠体に溶接固定され、Ｌ字アングルの他端側を支持部１５Ａに溶接固定される。あるいは、Ｌ字アングルの他端側は、支持部１５Ａの一対の孔部１５Ｅ（図１（Ａ）参照）を利用してボルト締結される。この構造により、ハゼ式折板屋根１１に穴を開けることなく、安全に店舗看板９１を支持することができる。
【符号の説明】
【０１１５】
１０  支持装置
１１  ハゼ式折板屋根
１２  ハゼ部
１３  枠体部
１３Ａ  第１フレーム
１３Ｂ  第２フレーム
１３Ｃ  第３フレーム
１４  台座部
１５  連結機構
１５Ａ  支持部
１５Ｂ  連結棒部
１５Ｃ  ストッパー部
１５Ｄ  固定ピン部
１５Ｅ、１５Ｆ  孔部
１６  固定部
２１、２２、２３、２４  取付け孔
３１  連結部材
３２、３３  自在クランプ
４１  足場
５０  支持装置
５１  重ね式折板屋根
５２  固定部
５２Ａ  剣先ボルト
５２Ｂ  ナット
５２Ｃ  座金
５３、５４  取付け孔
６０  支持装置
６１  枠体部
６２  台座部
６３  連結機構
６４  固定部
６５  回動制止部
６６  挿入受け部
７１  単管ジョイント
７２  単管パイプ
７３  パイプハンガ
７４  親綱
８１，８２  楔式パイプ
８３  建築資材
８４  足場板
９１  店舗看板
【図１】
2020023871.tif 000003
【図２】
2020023871.tif 000004
【図３】
2020023871.tif 000005
【図４】
2020023871.tif 000006
【図５】
2020023871.tif 000007
【図６】
2020023871.tif 000008
【図７】
2020023871.tif 000009
【図８】
2020023871.tif 000010
【図９】
2020023871.tif 000011
【図１０】
2020023871.tif 000012
【図１１】
2020023871.tif 000013